(57)【要約】  【課題】首回りや額などを冷やしたり保温する際に適する保冷剤／保温剤のホルダーに関し、農作業その他の暑いときによく使用されるタオル状の外形をしており、その中に保冷剤や保温剤を収納できて、違和感無く使用でき、しかも首回りや額などにも共用可能な、タオル兼用のホルダーを実現する。  【解決手段】タオル状の長方形の布をその長手方向にほぼ４等分して折り重ねて用いる保冷手段や保温手段のホルダーであって、一端の４等分領域を二つ折りにし、さらに同じ方向に二つ折りして三つ折り状態とし、その長手方向の中間部に長手方向と直角方向の中間仕切り手段を設け、その両側に保冷手段や保温手段の収納領域を隔てて、同じく直角方向の端部仕切り手段を設けてある。前記収納領域はポケット状である。【選択図】  図２
0003128382.tif 000002
【実用新案登録請求の範囲】
【請求項１】
タオル状の長方形の布をその長手方向にほぼ４等分して折り重ねて用いる保冷手段又は保温手段のホルダーであって、
一端の４等分領域を二つ折りにし、さらに同じ方向に二つ折りして三つ折り状態とし、その長手方向の中間部に長手方向と直角方向の中間仕切り手段を設け、その両側に保冷手段又は保温手段の収納領域を隔てて、同じく直角方向の端部仕切り手段を設けてある構造を特徴とする保冷手段又は保温手段のホルダー。
【請求項２】
前記の中間部の仕切り手段は、１〜５ｃｍの幅を有していることを特徴とする請求項１に記載の保冷手段又は保温手段のホルダー。
【請求項３】
前記の長方形の布が手拭い生地又はタオル生地又は綿生地であることを特徴とする請求項１または請求項２に記載の保冷手段又は保温手段のホルダー。
【請求項４】
前記の中間部の仕切り手段並びに端部仕切り手段は、縫製によって形成されていることを特徴とする請求項１から請求項３までのいずれかの項に記載の保冷手段又は保温手段のホルダー。
【請求項５】
前記の保冷手段又は保温手段の収納領域の長さ寸法は、５〜２０ｃｍであることを特徴とするする請求項１から請求項４までのいずれかの項に記載の保冷手段又は保温手段のホルダー。
【請求項６】
前記の長方形の布の全長が８０〜１５０ｃｍであることを特徴とする請求項１から請求項５までのいずれかの項に記載の保冷手段又は保温手段のホルダー。
【請求項７】
前記の三つ折り状態の部分の幅より、折り重ねないで残った一重のカバー領域の幅が大きいことを特徴とする請求項１から請求項６までのいずれかの項に記載の保冷手段又は保温手段のホルダー。
【考案の詳細な説明】
【技術分野】
【０００１】
本考案は、首回りや額などを冷やしたり保温する際に適する保冷剤／保温剤のホルダーに関する。
【背景技術】
【０００２】
登録実用新案第３００９４６９号によると、タオル本来の水分拭き取り機能を維持させながら、保冷剤を収容した保冷用扁平部材部分を皮膚当接面に沿って密着させることができ、これによって暑さを和らげ、眠気を覚まし、精神的な引き締め、集中力の向上が図れる冷涼タオルが提案されている。その構造は、幅30cm程度で70〜80cm程度の横長としたタオル主体の中央部分の20〜30cm部分に、ポリビニールアルコール又はカルボキシメチルセルローズ等の蓄冷剤を3cm 角程度の碁盤目状に形成した多数の小収容部に密封収納して凍結状態で屈曲可能とした保冷用扁平部材を重ね、その周縁を縫着して一体化し、前記保冷扁平部材部分の左右に水分拭き取り部を形成するとともに、該水分拭き取り部６のそれぞれには、必要に応じて身体装着用面ファスナー７等の装着手段を具備させた冷涼タオルである。
【０００３】
また、登録実用新案第３０１００８６号では、形を気にせず冷凍庫に入れることが出来、凍結していても柔らかくなるまで待たずに冷やしたい部分を冷やすことができて長時間使用出来るベルト型保冷剤を提供するために、保冷剤と保冷剤の間に、保冷剤の入っていない凍結時可動部を数か所設けたことを特徴としたベルト型保冷剤が開示されている。
【０００４】
さらに、特開２０００−３２８３１８号では、真夏の炎天下時等にスポーツをする際に、プレーヤーの襟足及び首筋（肩の上部）を冷却しつつ直射日光の照りつけによる日焼けを防止し、熱感を排除することができ、激しい運動においてもずれることがなく、また円滑な動作を妨げることがなく、且つ外見的にもファッショナブルで違和感のない襟足冷却体が提案されている。
【特許文献１】登録実用新案第３００９４６９号
【特許文献２】登録実用新案第３０１００８６号
【特許文献３】特開２０００−３２８３１８号
【考案の開示】
【考案が解決しようとする課題】
【０００５】
しかしながら、特許文献１のような構成では、碁盤目状に形成した多数の小収容部を形成して、蓄冷剤を密封収納する必要があり、構成が複雑でコスト高となる。また、保冷用扁平部材の周縁をタオル主体の中央部分に縫着するため、タオル全体を冷凍庫に入れて凍結させる必要があり、取り扱いが不便となり、かつタオル全体が冷却されるという問題がある。
【０００６】
特許文献２の場合は、保冷剤と保冷剤の間に、保冷剤の入っていない凍結時可動部が有るので、冷却する頭部の外形に応じた柔軟性はあるが、頭部専用となり、しかも装着状態が不格好でかつ汎用性に欠けるという問題がある。特許文献３の場合は、専用の特殊構造となるのでコスト高となり、加えて不格好でかつ汎用性に欠ける。
【０００７】
本考案の技術的課題は、このような問題に着目し、農作業その他の暑いときによく使用されるタオル状の外形をしており、その中に保冷剤や保温剤を収納できて、違和感無く使用でき、しかも首回りや額などにも共用可能な、タオル兼用の保冷手段又は保温手段のホルダーを実現することにある。
【課題を解決するための手段】
【０００８】
本考案の技術的課題は次のような手段によって解決される。請求項１は、タオル状の長方形の布をその長手方向にほぼ４等分して折り重ねて用いる保冷手段又は保温手段のホルダーであって、一端の４等分領域を二つ折りにし、さらに同じ方向に二つ折りして三つ折り状態とし、その長手方向の中間部に長手方向と直角方向の仕切り手段を設け、その両側に保冷手段又は保温手段の収納領域を隔てて、同じく直角方向の端部仕切り手段を設けてある構造を特徴とする保冷手段又は保温手段のホルダーである。このように、保冷手段や保温手段のホルダーが、タオル状の長方形の布をその長手方向にほぼ４等分して折り重ねて用いる構成であるため、他人にはタオルを使用しているように見えるので、不自然さがなく、違和感なく使用できる。保冷手段や保温手段の収納領域以外の領域はタオルとして使用したり、マフラーのように首に巻いたり後ろに回したりでき、自由度に富んでいる。
【０００９】
しかも、タオル状布の一端の４等分領域を二つ折りにし、さらに同じ方向に二つ折りして三つ折り状態とし、その長手方向の中間部に長手方向と直角方向の中間仕切り手段を設け、その両側に保冷手段又は保温手段の収納領域を隔てて、同じく直角方向の端部仕切り手段を設けてある構成であるため、保冷手段や保温手段を収納したポケットの上に、折り重ねないで残っている一重のカバー領域を重ねて使用することで、保冷手段や保温手段の脱落を防止できる。また、保冷手段や保温手段の収納状態では、タオル状布の重ね枚数が、片方では３枚となり、他方では１枚となるので、使用者の好みに応じてどちらか選択することで、温度調節ができる。マフラー状に首に掛ければ首回りを冷却でき、鉢巻き状に巻けば、額を冷却できる。
【００１０】
請求項２は、前記の中間部の仕切り手段は、１〜５ｃｍの幅を有していることを特徴とする請求項１に記載の保冷手段又は保温手段のホルダーである。このように、前記の中間部の仕切り手段は、１〜５ｃｍの幅を有しているため、前記の収納領域に収納状態の保冷手段が凍結状態であっても、１〜５ｃｍ幅の仕切り領域で容易に変形できるので、被冷却面にピッタリとフィットし、使い易く、取り扱いも簡便である。この仕切り領域の幅が１ｃｍ未満では、幅が狭過ぎて自由な変形に支障を来す恐れがあり、５ｃｍを越えると、保冷や保温として機能しない領域が大き過ぎるという問題がある。
【００１１】
請求項３は、前記の長方形の布が手拭い生地又はタオル生地又は綿生地であることを特徴とする請求項１または請求項２に記載の保冷手段又は保温手段のホルダーである。このように、前記の長方形の布が手拭い生地又はタオル生地又は綿生地であるため、使用者の好みを勘案して、長方形の布として、手拭い生地を採用したり、タオル生地を採用できる。また、任意厚さの綿生地を採用してもよい。手拭い生地やタオル生地、綿生地は、汗の吸湿性に富んでいるので、保冷手段や保温手段の収納領域以外の領域を手拭いやタオルして使用する際に有効である。
【００１２】
請求項４は、前記の中間部の仕切り手段並びに端部仕切り手段は、縫製によって形成されていることを特徴とする請求項１から請求項３までのいずれかの項に記載の保冷手段又は保温手段のホルダーである。このように、前記の中間部の仕切り手段並びに端部仕切り手段は、縫製によって形成されているので、製造が容易で、かつ保冷手段や保温手段の有無に係わらず常に柔軟性に富み、洗濯も容易である。
【００１３】
請求項５は、前記の保冷手段又は保温手段の収納領域の長さ寸法は、５〜２０ｃｍであることを特徴とするする請求項１から請求項４までのいずれかの項に記載の保冷手段又は保温手段のホルダーである。このように、前記の保冷手段や保温手段の収納領域の長さ寸法は、５〜２０ｃｍであるため、各種サイズの保冷手段や保温手段の収納ができる。また、二つの収納領域に保冷手段や保温手段を収納すれば、首回りの冷却や保温に使用でき、一つの収納領域のみに保冷手段を収納すれは、額の冷却に適している。収納領域の長さが５ｃｍ未満だと、収納領域が小さ過ぎて、充分な冷却や保温ができず、２０ｃｍを越えると、保温や保冷される面積が必要以上に大きくなる。保冷剤や保温剤も大型のサイズが必要となり、簡易形状のポケットでは簡単な収納が困難になる。
【００１４】
請求項６は、前記の長方形の布の全長が８０〜１５０ｃｍであることを特徴とする請求項１から請求項５までのいずれかの項に記載の保冷手段又は保温手段のホルダーである。このように、前記の長方形の布の全長が８０〜１５０ｃｍであるため、手拭いやタオルとして使用したり鉢巻きにする際に充分な長さを確保できる。また、マフラーのような使い方も可能となる。なお、全長が８０未満だと、短過ぎて手拭いやタオル、鉢巻き、マフラーとして使用するのに支障を来す。また、１５０ｃｍを越えると、必要以上に長くなり、かえって使いづらくなる。
【００１５】
請求項７は、前記の三つ折り状態の部分の幅より、折り重ねないで残った一重のカバー領域の幅が大きいことを特徴とする請求項１から請求項６までのいずれかの項に記載の保冷手段又は保温手段のホルダーである。このように、前記の三つ折り状態の部分の幅より、折り重ねないで残った一重のカバー領域の幅が大きいため、使用時に収納状態の保冷手段や保温手段の上に一重のカバー領域を被せて重ねた際に、特に収納した保冷手段や保温手段が厚手の場合でも、充分にカバーでき、見苦しくない。
【考案の効果】
【００１６】
請求項１のように、保冷手段や保温手段のホルダーが、タオル状の長方形の布をその長手方向にほぼ４等分して折り重ねて用いる構成であるため、他人にはタオルを使用しているように見えるので、不自然さがなく、違和感なく使用できる。マフラーのように首に巻いたり後ろに回したりでき、自由度に富んでいる。しかも、三つ折り状態とし、その長手方向の中間部に中間仕切り手段を設け、その両側に保冷手段や保温手段の収納領域を隔てて、端部仕切り手段を設けてあるため、保冷手段や保温手段を収納したポケットの上に、折り重ねないで残っている一重のカバー領域を重ねて使用することで、保冷手段や保温手段の脱落を防止できる。また、保冷手段や保温手段の収納状態では、タオル状布の重ね枚数が、片方では３枚となり、他方では１枚となるので、使用者の好みに応じてどちらか選択することで、温度調節ができる。マフラー状に首に掛ければ首回りを冷却でき、鉢巻き状に巻けば、額を冷却できる。
【００１７】
請求項２のように、前記の中間の仕切り手段は１〜５ｃｍの幅を有しているため、前記の収納領域に収納状態の保冷手段が凍結状態であっても、１〜５ｃｍ幅の仕切り領域で容易に変形できるので、被冷却面にピッタリとフィットし、使い易く、取り扱いも簡便である。
【００１８】
請求項３のように、前記の長方形の布が手拭い生地又はタオル生地又は綿生地であるため、使用者の好みを勘案して、手拭い生地を採用したり、タオル生地を採用できる。また、任意厚さの綿生地を採用してもよい。手拭い生地やタオル生地、綿生地は、汗の吸湿性に富んでいるので、保冷手段や保温手段の収納領域以外の領域を手拭いやタオルして使用する際に有効である。
【００１９】
請求項４のように、前記の中間部の仕切り手段並びに端部仕切り手段は、縫製によって形成されているので、製造が容易で、かつ保冷手段や保温手段の有無に係わらず常に柔軟性に富み、洗濯も容易である。
【００２０】
請求項５のように、前記の保冷手段や保温手段の収納領域の長さ寸法は、５〜２０ｃｍであるため、各種サイズの保冷手段や保温手段の収納ができる。また、二つの収納領域に保冷手段や保温手段を収納すれば、首回りの冷却や保温に使用でき、一つの収納領域のみに保冷手段を収納すれは、額の冷却に適している。
【００２１】
請求項６のように、前記の長方形布の全長が８０〜１５０ｃｍであるため、手拭いやタオルとして使用したり鉢巻きにする際に充分な長さを確保できる。また、マフラーのような使い方も可能である。
【００２２】
請求項７のように、前記の三つ折り状態の部分の幅より、折り重ねないで残った一重のカバー領域の幅が大きいため、使用時に収納状態の保冷手段や保温手段の上に一重のカバー領域を被せて重ねた際に、特に収納した保冷手段や保温手段が厚手の場合でも充分にカバーでき、見苦しくない。
【考案を実施するための最良の形態】
【００２３】
次に本考案による保冷剤／保温剤のホルダーが実際上どのように具体化されるか実施形態を説明する。図１は、本考案による保冷剤／保温剤のホルダーの製造方法を説明する図で、（１）はタオル状布Ｃを拡げた状態の平面図である。このタオル状布Ｃは長さが１２０ｃｍで、幅が３３ｃｍである。このタオル状布Ｃをほぼ４等分する位置に折り目を示す想像線１、２、３を表示してある。ほぼ４等分するが、正確には図示例では最初の折り目１とその端部１ｅ間の領域一の寸法を７．５ｃｍ、最初の折り目１と第２の折り目２間二の寸法を８．０ｃｍ、第２の折り目２と最後の第３の折り目３間の領域三の寸法を８．０ｃｍ、最後の折り目３からその端部４ｅ間の領域四の寸法を９．５ｃｍとする。このように、最初の領域一の幅が最小で、最後の領域四の幅が最大である。この最大領域四と隣接する領域三中のｐ１、ｐ２が収納ポケットを形成する領域である。
【００２４】
（２）は（１）図のタオル状布ＣのＡ−Ａ位置の断面図であり、製造に際しては、先ず第１の折り目１において、前記の最初の折り目１とその端部１ｅ間の領域一を上側に二つ折りして、前記の最初の折り目１と第２の折り目２間の領域二の上に折り重ねて、（３）図の状態とする。次に、こうして折り重ねた領域一と二をそのまま、さらに同じ方向に二つ折りして、前記の第２の折り目２と最後の第３の折り目３間の領域三の上に重ねて、三つ折り状態にすると、（４）図の状態となる。折り重ねないで残った領域四は、前記の最後の折り目３からその端部４ｅ間の領域であり、三つ折り状態の部分の幅８．０ｃｍよりも約１．５ｃｍ広く、カバーに使用する。
【００２５】
このようにして三つ折りにした状態を平面図で示すと、図２（１）のようになる。この図の状態において、三つ折り状態の３枚を互いに分離しないように縫い合わせて、収納ポケットを形成する。すなわち、先ず、タオル状布Ｃの全長の約２分の１の位置において、約３ｃｍの間隔を置いて、タオル状布Ｃの長手方向に対し直角方向に縫い付けて、中間の仕切りとする。その結果、１本目の縫い目５から約３ｃｍ隔てて、２本目の縫い目６が形成される。次いで、前記の１本目の縫い目５から約１８ｃｍ隔てて、同じくタオル状布Ｃの長手方向に対し直角方向に縫い付けて、３枚が分離不能とし、端部仕切り７とする。その結果、前記の１本目の縫い目５と端部仕切り７との間の領域が、保冷手段又は保温手段の収納ポケットＰ１となる。
【００２６】
次いで、前記の２本目の縫い目６から約１８ｃｍ隔てて、タオル状布Ｃの長手方向に対し直角方向に縫い付けて、３枚が分離不能とし、もう一方の端部仕切り８とする。その結果、前記の２本目の縫い目６と端部仕切り８との間の領域が、保冷手段又は保温手段の収納ポケットＰ２となる。このようにして、二つの収納ポケットＰ１、Ｐ２が形成される。収納ポケットＰ２の位置をＢ−Ｂ断面図で示すと、（２）図のようになる。（２）図において、折り込まれた領域一と折り重ねられた領域三との間のポケットＰ２に、保冷手段や保温手段を挿入し収納する。
【００２７】
（３）図は、前記のポケットＰ２の中に保冷剤９を収納した状態の断面図であり、保冷剤９が挿入されたために、前記の折り込まれた領域一や折り重ねられた領域三が膨らんだ状態となる。前記の最初の折り目１と第２の折り目２間の外側に露出した領域二と前記の折り込まれた領域一とは実際にはピッタリと重なるが、理解を助けるために、多少分離した状態で図示してある。ポケットＰ２中に保冷剤９を収納したら、前記の外側に露出した領域二の上に、前記の折り重ねないで残ったカバー領域四を折り重ねると、（３）図の状態となる。このように保冷剤９を収納した状態で、残ったカバー領域四を折り重ねた場合、残ったカバー領域四の幅が約１．５ｃｍ広いため、中に厚手の保冷剤９が収納されているにも係わらず、充分にカバーできる。
【００２８】
ポケットＰ２中に収納した保冷剤９が脱落する恐れがあると心配する人は、（４）図のように、折り込まれた内部の領域一の下端を潜って、折り込まれた内部の領域一と次の外側に露出した領域二との間に保冷剤９を収納することも可能であり、収納状態における保冷剤９の安定性も増す。なお、（４）図は、折り重ねないで残ったカバー領域四を被せてない状態になっている。
【００２９】
もう一方のポケットＰ１にも同様にして保冷剤９を収納することにより、３ｃｍの中間仕切り領域を挟んで、二つのポケットＰ１、Ｐ２に保冷剤９を収納できるので、首に掛けると、左右の頸静脈を左右二つの保冷剤９・９で冷却できる。このとき、ポケットＰ１、Ｐ２より先のタオル状布を互いにしばり付けることによって、保冷剤９・９と皮膚との接触圧力を増すこともできる。互いにしばり付けないで、マフラーのように後方に回して肩の上に掛けることもできる。
【００３０】
以上の保冷剤９は、長さが１７〜１８ｃｍ、幅が約５ｃｍ、厚さ約１ｃｍの長方形状で、合成樹脂製の袋に入っている。約６ｃｍ間隔に、保冷剤の入っていない仕切り領域を設けておくと、その部分で容易に変形できるので、首回りにフィットし易い。なお、冬季には、保冷剤に代えて保温剤をポケットに収納して使用する。保冷剤や保温剤の材質は特に限定されない。
【産業上の利用可能性】
【００３１】
以上のように、本考案は、タオル状の長方形布をその長手方向にほぼ４等分して折り重ねた状態で、保冷手段や保温手段を簡易構造のポケットに収納して使用するホルダーであるため、農作業やスポーツその他の暑いときに汗拭き用のタオルとして兼用でき、冬季はマフラー状に使用でき、違和感が無い。しかも首回りや額の冷却にも共用できる。風邪などの際に氷嚢代わりにも利用でき、鉢巻き状に縛れるので、安定性に優れている。
【図面の簡単な説明】
【００３２】
【図１】本考案による保冷剤／保温剤のホルダーの製造方法を説明する図で、（１）はタオル状布を拡げた状態の平面図、（２）（３）（４）は折り重ね方法を示す模式断面図である。
【図２】（１）は、タオル状布を三つ折りにして３枚を縫い合わせた状態の平面図、（２）（３）（４）は使い方を示す模式断面図である。
【符号の説明】
【００３３】
Ｃ  タオル状布
１・２・３  折り目位置
５・６  中間仕切りの縫い目
７・８  端部仕切りの縫い目
Ｐ１・Ｐ２  収納ポケット
９  保冷剤
【図１】
0003128382.tif 000003
【図２】
0003128382.tif 000004